(57)【要約】      （修正有）【課題】コンタクトレンズ収納ケースの持ち運びに適した技術を提供することである。【解決手段】コンタクトレンズ収納ケースが装填されるケースカバー１１であって、前記ケースカバー１１は、上面部１２と、下面部１３と、右側面部１４ａと、左側面部と、後面部とを有し、その前面側が開口であり、前記右側面部１４ａおよび左側面部は、その前端側から後方側に掛けて開口２１が形成され、前記下面部１３には装填されたコンタクトレンズ収納ケースに掛止する掛止部２０が構成されてなる。【選択図】  図４
0003129131.tif 000002
【実用新案登録請求の範囲】
【請求項１】
コンタクトレンズ収納ケースが装填されるケースカバーであって、
前記ケースカバーは、上面部と、下面部と、右側面部と、左側面部と、後面部とを有し、その前面側が開口であり、
前記右側面部および左側面部は、その前端側から後方側に掛けて開口が形成され、
前記下面部には装填されたコンタクトレンズ収納ケースに掛止する掛止部が構成されてなる
ことを特徴とするコンタクトレンズ収納ケースのケースカバー。
【請求項２】
右側面部および左側面部に形成された開口は、前端側の開口幅が広くて後方側の開口幅が狭い略凸形状の開口であり、
前記略凸形状開口の開口幅が異なる位置は側面部の前後方向における真中位置から前後１５％以内の領域に在る
ことを特徴とする請求項１のコンタクトレンズ収納ケースのケースカバー。
【請求項３】
下面部に構成された掛止部は、該下面部に形成された略コ字形状の切欠によって出来た前後方向の舌片の上面に構成された凸部からなる
ことを特徴とする請求項１又は請求項２のコンタクトレンズ収納ケースのケースカバー。
【請求項４】
ケースカバーの下面部の上面には前後方向に沿って３本以上の凸条が設けられてなり、
前記凸条の中の最外側の位置に在る２本の凸条は内側の位置に在る凸条よりも高さが高く、かつ、前記高さが高い２本の凸条の間の幅は装填されるコンタクトレンズ収納ケースの左右方向の最大幅より小さく構成されてなり、
装填されるコンタクトレンズ収納ケースの下面部には前記最外側の位置に在る２本の凸条の内側の位置に対応した位置に凸部が設けられてなり、
前記ケースカバーの下面部に設けられた最外側の位置に在る２本の凸条とコンタクトレンズ収納ケースの下面部に設けられた凸部とによって、装填されるコンタクトレンズ収納ケースの上下の向きが正しい場合には装填でき、上下の向きが正しく無い場合には摩擦抵抗が大きくて装填でき難いよう前記２本の凸条および凸部が構成されてなる
ことを特徴とする請求項１〜請求項３いずれかのコンタクトレンズ収納ケースのケースカバー。
【請求項５】
ケースカバーの下面部の上面には前後方向に沿って４本以上の凸条が設けられてなり、
前記最外側の位置に在る２本の凸条は内側の位置に在る凸条よりも高さが高く構成されてなり、
前記最外側の位置に在る２本の凸条によって装填されたコンタクトレンズ収納ケースの左右方向の位置が規制されるよう構成されると共に、下面部に設けられた掛止部と上面部とによって装填されたコンタクトレンズ収納ケースの上下方向の位置が規制されるよう構成されてなる
ことを特徴とする請求項１〜請求項４いずれかのコンタクトレンズ収納ケースのケースカバー。
【請求項６】
ケースカバーが前後方向において長手状の偏平函状であり、
前記ケースカバーに装填されるコンタクトレンズ収納ケースも長手状のものである
ことを特徴とする請求項１〜請求項５いずれかのコンタクトレンズ収納ケースのケースカバー。
【請求項７】
掛止部が構成されている箇所におけるケースカバーの内高さは対応する箇所のコンタクトレンズ収納ケースの外高さより寸法が小さく構成され、
掛止部が構成されていない箇所におけるケースカバーの内高さは対応する箇所のコンタクトレンズ収納ケースの外高さより寸法が大きく構成されてなる
ことを特徴とする請求項１〜請求項６いずれかのコンタクトレンズ収納ケースのケースカバー。
【請求項８】
後面部には紐取付用の孔が形成されてなる
ことを特徴とする請求項１〜請求項７いずれかのコンタクトレンズ収納ケースのケースカバー。
【請求項９】
ケースカバーに装填されるコンタクトレンズ収納ケースは、コンタクトレンズを収容する収容部を有する容器本体と、前記収容部の開口を覆う蓋体とを具備してなり、
前記容器本体の下面部には、その前端側および後端側に前記ケースカバーの下面部に構成された掛止部に掛止する第１の凸条が前後方向に沿って設けられると共に、前記ケースカバーの下面部に構成された凸条の間に嵌る第２の凸条が斜方向に設けられたものである
ことを特徴とする請求項１〜請求項８いずれかのコンタクトレンズ収納ケースのケースカバー。
【考案の詳細な説明】
【技術分野】
【０００１】
本考案はコンタクトレンズ収納ケースのケースカバーに関する。
【背景技術】
【０００２】
コンタクトレンズを収納する収納ケースが従来より広く提案されている。
【０００３】
例えば、特開２００３−２５０６２１号公報に示される如く、偏平状の収納ケースが提供されている。
【特許文献１】特開２００３−２５０６２１号公報
【考案の開示】
【考案が解決しようとする課題】
【０００４】
さて、これまでは、コンタクトレンズを、直接、収納する収納ケースが提案されているに過ぎない。
【０００５】
そして、この種のコンタクトレンズ収納ケースはコンタクトレンズ収納ケースを持ち歩きすることを目指してのものとなっていない。すなわち、コンタクトレンズ収納ケースを持ち歩きするには適したものとなっていない。その理由は、コンタクトレンズ自体は、通常、目に装着されており、コンタクトレンズを取り外すのは夜の睡眠時位であるから、コンタクトレンズ収納ケースは家庭に置かれておれば十分であるからによる。
【０００６】
ところが、最近、コンタクトレンズもカラーコンタクトレンズと言ったファッション性を帯びたものが提供されている。このようなファッション性を目的としたカラーコンタクトレンズにあっては、外出中に交換されることも多い。例えば、青色コンタクトレンズをしていたものの、その場の雰囲気に合わせる為に、青色コンタクトレンズを外して緑色コンタクトレンズにすると言った使われ方がされ出している。
【０００７】
そうすると、コンタクトレンズ収納ケースも持ち運びされなければならない。
【０００８】
ところが、上述した通り、これまでのコンタクトレンズ収納ケースは持ち運びに適したものとなっていない。
【０００９】
従って、本考案が解決しようとする課題は、コンタクトレンズ収納ケースの持ち運びに適した技術を提供することである。
【課題を解決するための手段】
【００１０】
前記の課題は、コンタクトレンズ収納ケースが装填されるケースカバーであって、
前記ケースカバーは、上面部と、下面部と、右側面部と、左側面部と、後面部とを有し、その前面側が開口であり、
前記右側面部および左側面部は、その前端側から後方側に掛けて開口が形成され、
前記下面部には装填されたコンタクトレンズ収納ケースに掛止する掛止部が構成されてなる
ことを特徴とするコンタクトレンズ収納ケースのケースカバーによって解決される。
【００１１】
又、上記コンタクトレンズ収納ケースのケースカバーであって、
右側面部および左側面部に形成された開口は、前端側の開口幅が広くて後方側の開口幅が狭い略凸形状の開口であり、
前記略凸形状開口の開口幅が異なる位置は側面部の前後方向における真中位置から前後１５％以内の領域に在る
ことを特徴とするコンタクトレンズ収納ケースのケースカバーによって解決される。
【００１２】
又、上記コンタクトレンズ収納ケースのケースカバーであって、
下面部に構成された掛止部は、該下面部に形成された略コ字形状の切欠によって出来た前後方向の舌片の上面に構成された凸部からなる
ことを特徴とするコンタクトレンズ収納ケースのケースカバーによって解決される。
【００１３】
又、上記コンタクトレンズ収納ケースのケースカバーであって、
ケースカバーの下面部の上面には前後方向に沿って３本以上の凸条が設けられてなり、
前記凸条の中の最外側の位置に在る２本の凸条は内側の位置に在る凸条よりも高さが高く、かつ、前記高さが高い２本の凸条の間の幅は装填されるコンタクトレンズ収納ケースの左右方向の最大幅より小さく構成されてなり、
装填されるコンタクトレンズ収納ケースの下面部には前記最外側の位置に在る２本の凸条の内側の位置に対応した位置に凸部が設けられてなり、
前記ケースカバーの下面部に設けられた最外側の位置に在る２本の凸条とコンタクトレンズ収納ケースの下面部に設けられた凸部とによって、装填されるコンタクトレンズ収納ケースの上下の向きが正しい場合には装填でき、上下の向きが正しく無い場合には摩擦抵抗が大きくて装填でき難いよう前記２本の凸条および凸部の高さが構成されてなる
ことを特徴とするコンタクトレンズ収納ケースのケースカバーによって解決される。
【００１４】
又、上記コンタクトレンズ収納ケースのケースカバーであって、
ケースカバーの下面部の上面には前後方向に沿って４本以上の凸条が設けられてなり、
前記最外側の位置に在る２本の凸条は内側の位置に在る凸条よりも高さが高く構成されてなり、
前記最外側の位置に在る２本の凸条によって装填されたコンタクトレンズ収納ケースの左右方向の位置が規制されるよう構成されると共に、下面部に設けられた掛止部と上面部とによって装填されたコンタクトレンズ収納ケースの上下方向の位置が規制されるよう構成されてなる
ことを特徴とするコンタクトレンズ収納ケースのケースカバーによって解決される。
【００１５】
又、上記コンタクトレンズ収納ケースのケースカバーであって、
ケースカバーが前後方向において長手状の偏平函状であり、
前記ケースカバーに装填されるコンタクトレンズ収納ケースも長手状のものである
ことを特徴とするコンタクトレンズ収納ケースのケースカバーによって解決される。
【００１６】
又、上記コンタクトレンズ収納ケースのケースカバーであって、
掛止部が構成されている箇所におけるケースカバーの内高さは対応する箇所のコンタクトレンズ収納ケースの外高さより寸法が小さく構成され、
掛止部が構成されていない箇所におけるケースカバーの内高さは対応する箇所のコンタクトレンズ収納ケースの外高さより寸法が大きく構成されてなる
ことを特徴とするコンタクトレンズ収納ケースのケースカバーによって解決される。
【００１７】
又、上記コンタクトレンズ収納ケースのケースカバーであって、
後面部には紐取付用の孔が形成されてなる
ことを特徴とするコンタクトレンズ収納ケースのケースカバーによって解決される。
【００１８】
又、上記コンタクトレンズ収納ケースのケースカバーであって、
ケースカバーに装填されるコンタクトレンズ収納ケースは、コンタクトレンズを収容する収容部を有する容器本体と、前記収容部の開口を覆う蓋体とを具備してなり、
前記容器本体の下面部には、その前端側および後端側に前記ケースカバーの下面部に構成された掛止部に掛止する第１の凸条が前後方向に沿って設けられると共に、前記ケースカバーの下面部に構成された凸条の間に嵌る第２の凸条が斜方向に設けられたものである
ことを特徴とするコンタクトレンズ収納ケースのケースカバーによって解決される。
【考案の効果】
【００１９】
本考案は、持ち運びが出来易いようにコンタクトレンズ収納ケース自体を改良するのでは無く、コンタクトレンズ収納ケースが装填されるケースカバーを提案したものである。
【００２０】
すなわち、コンタクトレンズ収納ケースを装填できるケースカバーによれば、コンタクトレンズ収納ケースも保護され、コンタクトレンズ収納ケース自体が損傷し難くなる。従って、それだけ、持ち運びに適したものになる。
【００２１】
そして、ケースカバーは、上面部と、下面部と、右側面部と、左側面部と、後面部とを有し、その前面側が開口であり、前記右側面部および左側面部は、その前端側から後方側に掛けて開口が形成された構造のものとしたから、コンタクトレンズ収納ケースの出し入れの作業性が非常に良い。例えば、コンタクトレンズ収納ケースをケースカバーの中に押し込むのみで入れることが出来、そして取出しに際しては左右側面部に形成された開口を介して親指と中指とでコンタクトレンズ収納ケースを把持できるから、その状態で引き抜けば簡単に取り出せる。
【００２２】
そして、ケースカバーの下面部には装填されたコンタクトレンズ収納ケースに掛止する掛止部が構成されてなるから、ケースカバーが吊り下げられる形態で保持されていても、コンタクトレンズ収納ケースが落下することなく、安全に保持できる。
【００２３】
例えば、ケースカバーの後面部に紐取付用の孔を設けておけば、ペンダント形式で首に吊り下げることも可能になる。そして、そのようにしても、コンタクトレンズ収納ケースが落下することなく、安全に保持できる。しかも、紐取付用の孔はケースカバーの後面部であるから、孔に紐を通していても、コンタクトレンズ収納ケースの出し入れに紐が邪魔にならない。
【００２４】
又、コンタクトレンズ収納ケースを取り出す為にケースカバーの側面部に形成した開口は、前端側の開口幅が広くて後方側の開口幅が狭い略凸形状の開口であり、前記略凸形状開口の開口幅が異なる位置は側面部の前後方向における真中位置から前後１５％以内の領域に在るので、コンタクトレンズ収納ケースの取出作業が非常に容易である。
【００２５】
又、ケースカバーの下面部に構成された掛止部は、該下面部に形成された略コ字形状の切欠によって出来た前後方向の舌片の上面に構成された凸部からなるので、弾撥性を持つようになり、掛止効果に優れている。
【００２６】
又、ケースカバーの下面部の上面には前後方向に沿って３本以上の凸条が設けられ、前記凸条の中の最外側の位置に在る２本の凸条は内側の位置に在る凸条よりも高さが高く、かつ、前記高さが高い２本の凸条の間の幅は装填されるコンタクトレンズ収納ケースの左右方向の最大幅より小さく構成されてなり、装填されるコンタクトレンズ収納ケースの下面部には前記最外側の位置に在る２本の凸条の内側の位置に対応した位置に凸部が設けられ、前記ケースカバーの下面部に設けられた最外側の位置に在る２本の凸条とコンタクトレンズ収納ケースの下面部に設けられた凸部とによって、装填されるコンタクトレンズ収納ケースの上下の向きが正しい場合には装填でき、上下の向きが正しく無い場合には摩擦抵抗が大きくて装填でき難いよう前記２本の凸条および凸部の高さが構成されてなるので、コンタクトレンズ収納ケースの装填作業に間違いが起き難いものとなる。
【００２７】
又、ケースカバーの下面部の上面には前後方向に沿って４本以上の凸条が設けられ、前記最外側の位置に在る２本の凸条は内側の位置に在る凸条よりも高さが高く構成されてなり、前記最外側の位置に在る２本の凸条によって装填されたコンタクトレンズ収納ケースの左右方向の位置が規制されるよう構成されると共に、下面部に設けられた掛止部と上面部とによって装填されたコンタクトレンズ収納ケースの上下方向の位置が規制されるよう構成されてなるので、コンタクトレンズ収納ケースの装填具合が良好である。
【００２８】
又、ケースカバーが前後方向において長手状の偏平函状で、前記ケースカバーに装填されるコンタクトレンズ収納ケースも長手状のものとしておくことによって、コンタクトレンズ収納ケースの出し入れの作業性が良い。
【００２９】
又、掛止部が構成されている箇所におけるケースカバーの内高さは対応する箇所のコンタクトレンズ収納ケースの外高さより寸法が小さく構成され、掛止部が構成されていない箇所におけるケースカバーの内高さは対応する箇所のコンタクトレンズ収納ケースの外高さより寸法が大きく構成されてなるので、コンタクトレンズ収納ケースの出し入れの作業性が良いと共に、コンタクトレンズ収納ケースが落下することなく、安全に保持できる。
【００３０】
又、ケースカバーに装填されるコンタクトレンズ収納ケースは、コンタクトレンズを収容する収容部を有する容器本体と、前記収容部の開口を覆う蓋体とを具備し、前記容器本体の下面部には、その前端側および後端側に前記ケースカバーの下面部に構成された掛止部に掛止する第１の凸条が前後方向に沿って設けられると共に、前記ケースカバーの下面部に構成された凸条の間に嵌る第２の凸条が斜方向に設けられたものとすることによって、コンタクトレンズ収納ケースの出し入れの作業性が良くなり、かつ、コンタクトレンズ収納ケースが落下することなく、安全に保持できる。
【考案を実施するための最良の形態】
【００３１】
図１〜図６は本考案になるコンタクトレンズ収納ケースのケースカバーの一実施形態を示すもので、図１はケースカバーに装填されるコンタクトレンズ収納ケースの平面図、図２はコンタクトレンズ収納ケースの側面図、図３はコンタクトレンズ収納ケースの底面図、図４はコンタクトレンズ収納ケースが装填されるケースカバーの側面図、図５はケースカバーの一部断面平面図、図６はケースカバーの正面（前面）図である。
【００３２】
各図中、１はコンタクトレンズ収納ケースである。このコンタクトレンズ収納ケース１は、樹脂で成型されたものであり、一対（左右）のコンタクトレンズを収容する一対の収容部２ａ，２ｂを有する容器本体２と、容器本体２の収容部２ａ，２ｂの開口を覆う蓋体３ａ，３ｂとからなる。そして、図１〜図３から判る通り、コンタクトレンズ収納ケース１は、図１中、左右方向に長手の偏平函形状に構成されている。尚、収容部２ａ，２ｂと蓋体３ａ，３ｂとの関係は螺子式のものであり、回動することによって開閉される。又、蓋体３ａ，３ｂの周側部には、図２からも判る通り、ローレット（縦方向の凹凸）が形成されている。
【００３３】
４ａは、コンタクトレンズ収納ケース１の容器本体２の中央先端部（収容部２ａにおける中央先端部）で、かつ、容器本体２の底面部において、容器本体２の長手方向に沿って長いように設けられた凸条（第１の凸条）である。４ｂは、コンタクトレンズ収納ケース１の容器本体２の中央先端部（収容部２ｂにおける中央先端部）で、かつ、容器本体２の底面部において、容器本体２の長手方向に沿って長いように設けられた凸条（第１の凸条）である。４ｃは、収容部２ａと収容部２ｂとの間（凸条４ａと凸条４ｂとの間）で、かつ、容器本体２の底面部において、容器本体２の長手方向に沿って長いように設けられた凸条である。
【００３４】
５ａ，６ａは、凸条４ａと凸条４ｃとを結ぶ線に対して斜め（例えば、±６０°）であるよう収容部２ａの下面部に設けられた凸条（第２の凸条）である。５ｂ，６ｂは、凸条４ｂと凸条４ｃとを結ぶ線に対して斜め（例えば、±６０°）であるよう収容部２ｂの下面部に設けられた凸条（第２の凸条）である。そして、図３からも判る通り、凸条５ａ，６ａ，５ｂ，６ｂの内側端は、凸条４ａと凸条４ｂとを結ぶ線までは延びていない。
【００３５】
尚、図２からも判る通り、凸条４ａ，４ｂ，４ｃ，５ａ，６ａ，５ｂ，６ｂの下端は、コンタクトレンズ収納ケース１の容器本体２の底面部よりも更に下の位置に在るよう構成されている。
【００３６】
１１は、コンタクトレンズ収納ケース１が装填されるケースカバーである。このケースカバー１１は、透明樹脂で成型されたものであり、厚さｔの上面部１２と、厚さｔの下面部１３と、厚さｔの右側面部１４ａと、厚さｔの左側面部１４ｂと、厚さｔの後面部１５とからなる。そして、コンタクトレンズ収納ケース１と同様に、前後方向に長手の偏平函形状をしたものであるが、その前面側が開口したものである。すなわち、前面部が無いものである。
【００３７】
上面部１２には何も設けられていないが、下面部１３の表面（内面）には４本の凸条１６ａ，１６ｂ，１７ａ，１７ｂが設けられている。この凸条１６ａ，１６ｂ，１７ａ，１７ｂは、図４，５からも判る通り、下面部１３の後端部から前端部の手前位置にまで亘って長手状に形成されている。凸条１７ａ，１７ｂは凸条１６ａと凸条１６ｂとの間に設けられたものである。又、凸条１６ａ，１６ｂは側面部１４ａ，１４ｂの内側の位置に設けられている。更に、凸条１６ａと凸条１６ｂとの間の寸法（幅）は装填されるコンタクトレンズ収納ケース１の左右方向の最大幅より小さく構成されている。従って、コンタクトレンズ収納ケース１の上下の向きを逆向きで装填しようとすると、凸条１６ａ，１６ｂの上にコンタクトレンズ収納ケース１の蓋体３ａ，３ｂが乗り上げるようになり、コンタクトレンズ収納ケース１の凸条４ａ，４ｂ，４ｃ，５ａ，６ａ，５ｂ，６ｂが上面部１２を大きく押し上げる（持ち上げる）ようになり、摩擦抵抗が大きくなるので、中々、装填できず、コンタクトレンズ収納ケース１の上下の向きを間違えたことが判るように構成されている。又、図４，６からも判る通り、凸条１６ａ，１６ｂの高さが凸条１７ａ，１７ｂの高さより高いように形成されている。尚、凸条１６ａと凸条１６ｂと凸条１７ａと凸条１７ｂとの互いの位置関係は、ケースカバー１１内にコンタクトレンズ収納ケース１が装填された場合、コンタクトレンズ収納ケース１の下面部に設けられた凸条５ａ，５ｂ端がケースカバー１１の下面部１３に設けられた凸条１６ａの縦側面と凸条１７ａの縦側面とによって摺接・規制され、コンタクトレンズ収納ケース１の下面部に設けられた凸条６ａ，６ｂ端がケースカバー１１の下面部１３に設けられた凸条１６ｂの縦側面と凸条１７ｂの縦側面とによって摺接・規制されるように構成されたものである。
【００３８】
１８はケースカバー１１の下面部１３の後端部近傍の中央位置に設けられた略コ字形状の切欠であり、この切欠１８によって前後方向に長い舌片１９が形成されている。そして、この舌片１９の先端部上面には断面略三角状の凸部２０が設けられている。すなわち、ケースカバー１１内にコンタクトレンズ収納ケース１が装填された場合、コンタクトレンズ収納ケース１に設けられた凸条４ａ（又は４ｂ）が凸部２０に乗り上げるようになり、この弾性舌片１９の凸部２０と上面部１２とによってコンタクトレンズ収納ケース１が強く押圧・把持（掛止）されるようになるよう構成されている。すなわち、凸部２０が設けられている箇所におけるケースカバー１１の内高さは対応する箇所のコンタクトレンズ収納ケース１の外高さより寸法が小さく構成されており、かつ、凸部２０が設けられていない箇所におけるケースカバー１１の内高さは対応する箇所のコンタクトレンズ収納ケース１の外高さより寸法が大きく構成されており、凸部２０による押圧・把持（掛止）時にはコンタクトレンズ収納ケース１は強固に保持されているものの、この押圧・把持（掛止）が外れたコンタクトレンズ収納ケース１の出入時の作業がスムーズに行なわれるようになっている。
【００３９】
右側面部１４ａ及び左側面部１４ｂは、その前端側から後方側に掛けて開口２１が形成されている。この開口２１は、図４からも判る通り、前端側の開口幅（上下方向における高さ）が広くて後方側の開口幅（上下方向における高さ）が狭い略凸形状に形成されたものである。特に、略凸形状開口２１の開口幅が異なる位置が側面部の前後方向における真中位置から約１０％弱程度前方側の位置にあるような略凸形状に形成されたものである。尚、図４，６からも判る通り、開口幅が狭い箇所における側面部１４ａ，１４ｂの高さと凸条１６ａ，１６ｂの高さとは同じである。そして、左側面部１４ｂと右側面部１４ａとは全く同じである。
【００４０】
２２は、ケースカバー１１の後面部１５の所望の位置に形成された孔である。そして、この孔２２に紐を通すことによって、ケースカバー１１を首から吊り下げることが出来るようになっている。
【００４１】
上記のように構成させた本願考案によれば、コンタクトレンズ収納ケース１が効果的に保護され、コンタクトレンズ収納ケース１自体が損傷し難くなる。従って、それだけ、持ち運びに適したものになる。
【００４２】
そして、ケースカバー１１は、その前面側が開口であり、かつ、側面部１４ａ，１４ｂの前端側から後方側に掛けて開口２１が形成された構造のものとしたから、コンタクトレンズ収納ケース１の出し入れの作業性が非常に良い。例えば、コンタクトレンズ収納ケース１をケースカバー１１の中に押し込むのみで入れることが出来、そして取出しに際しては、左右側面部１４ａ，１４ｂに形成された開口２１を介して親指と中指とでコンタクトレンズ収納ケース１を把持できるから、その状態で引き抜けば簡単に取り出せる。
【００４３】
又、ケースカバー１１の下面部１３には装填されたコンタクトレンズ収納ケース１に掛止する掛止部（凸部２０）が構成されてなるから、ケースカバー１１が吊り下げられる形態で保持されていても、コンタクトレンズ収納ケース１が落下することなく、安全に保持できる。例えば、ケースカバー１１の後面部１５に紐取付用の孔２２を設けているので、ペンダント形式で首に吊り下げることも可能になる。そして、そのようにしても、コンタクトレンズ収納ケース１が落下することなく、安全に保持できる。しかも、紐取付用の孔２２はケースカバー１１の後面部１５であるから、孔２２に紐を通していても、コンタクトレンズ収納ケース１の出し入れに紐が邪魔にならない。
【００４４】
又、コンタクトレンズ収納ケース１を取り出す為にケースカバー１１の側面部１４ａ，１４ｂに形成した開口２１は、前端側の開口幅が広くて後方側の開口幅が狭い略凸形状の開口であり、略凸形状開口２１の開口幅が異なる位置は側面部の前後方向における真中位置から前後１５％以内の領域に在るので、コンタクトレンズ収納ケース１の取出作業が非常に容易である。
【００４５】
又、ケースカバー１１の下面部１３に構成された掛止部は、下面部１３に形成された略コ字形状の切欠１８によって出来た前後方向の舌片１９の上面に構成された凸部２０からなるので、弾撥性を持つようになり、掛止効果に優れている。
【００４６】
又、ケースカバー１１の下面部１３の上面には前後方向に沿って４本の凸条１６ａ，１６ｂ，１７ａ，１７ｂが設けられ、凸条１６ａ，１６ｂ，１７ａ，１７ｂの中の最外側の位置に在る２本の凸条１６ａ，１６ｂは内側の位置に在る凸条１７ａ，１７ｂよりも高さが高く、かつ、高さが高い２本の凸条１６ａと凸条１６ｂとの間の幅はコンタクトレンズ収納ケース１の左右方向の最大幅より小さく構成され、コンタクトレンズ収納ケース１の下面部には最外側の位置に在る２本の凸条１６ａと凸条１６ｂと間の位置に対応した位置に凸条５ａ，６ａ，５ｂ，６ｂが設けられ、ケースカバー１１の下面部１３に設けられた最外側の位置に在る２本の凸条１６ａ，１６ｂとコンタクトレンズ収納ケース１の下面部に設けられた凸条４ａ，４ｂ，４ｃ，５ａ，６ａ，５ｂ，６ｂとによって、装填されるコンタクトレンズ収納ケース１の上下の向きが正しい場合には装填でき、上下の向きが逆の場合には摩擦抵抗が大きくて装填でき難いよう２本の凸条１６ａ，１６ｂ及び凸条４ａ，４ｂ，４ｃ，５ａ，６ａ，５ｂ，６ｂの高さが構成されてなるので、コンタクトレンズ収納ケース１の装填作業に間違いが起き難い。
【００４７】
又、ケースカバー１１の下面部１３の上面に設けられた凸条１６ａ，１６ｂは凸条１７ａ，１７ｂよりも高さが高く構成され、かつ、凸条１６ａ，１６ｂによって装填されたコンタクトレンズ収納ケース１の左右方向の位置が規制されるよう構成されると共に、下面部１３に設けられた掛止部２０と上面部１２とによって装填されたコンタクトレンズ収納ケース１の上下方向の位置が規制されるよう構成されているので、コンタクトレンズ収納ケース１の装填具合が良好である。
【００４８】
又、ケースカバー１１が前後方向において長手状の偏平函状で、かつ、コンタクトレンズ収納ケース１も長手状のものとしたので、コンタクトレンズ収納ケース１の出し入れの作業性が良い。
【００４９】
又、掛止部２０が構成されている箇所におけるケースカバー１１の内高さは対応する箇所のコンタクトレンズ収納ケース１の外高さより寸法が小さく構成され、掛止部２０が構成されていない箇所におけるケースカバー１１の内高さは対応する箇所のコンタクトレンズ収納ケース１の外高さより寸法が大きく構成されているので、コンタクトレンズ収納ケース１の出し入れの作業性が良いと共に、コンタクトレンズ収納ケース１が落下することなく、安全に保持できる。
【００５０】
又、コンタクトレンズ収納ケース１の下面部には、その前端側および後端側に前記ケースカバー１１の下面部１３に構成された掛止部２０に掛止する第１の凸条４ａ，４ｂが前後方向に沿って設けられると共に、ケースカバー１１の下面部１３に構成された凸条１６ａ，１６ｂの間に嵌る第２の凸条５ａ，６ａ，５ｂ，６ｂが斜方向に設けられてなるので、コンタクトレンズ収納ケース１の出し入れの作業性が良くなり、かつ、コンタクトレンズ収納ケース１が落下することなく、安全に保持できる。
【図面の簡単な説明】
【００５１】
【図１】コンタクトレンズ収納ケースの平面図
【図２】コンタクトレンズ収納ケースの側面図
【図３】コンタクトレンズ収納ケースの底面図
【図４】ケースカバーの側面図
【図５】ケースカバーの一部断面平面図
【図６】ケースカバーの正面図
【符号の説明】
【００５２】
１                              コンタクトレンズ収納ケース
２                              容器本体
２ａ，２ｂ                      収容部
３ａ，３ｂ                      蓋体
４ａ，４ｂ                      凸条（第１の凸条）
５ａ，６ａ，５ｂ，６ｂ          凸条（第２の凸条）
１１                            ケースカバー
１２                            上面部
１３                            下面部
１４ａ                          右側面部
１４ｂ                          左側面部
１５                            後面部
１６ａ，１６ｂ，１７ａ，１７ｂ  凸条
１８                            略コ字形状の切欠
１９                            舌片
２０                            凸部
２１                            略凸形状開口
２２                            孔
代  理  人  宇      高      克      己
【図１】
0003129131.tif 000003
【図２】
0003129131.tif 000004
【図３】
0003129131.tif 000005
【図４】
0003129131.tif 000006
【図５】
0003129131.tif 000007
【図６】
0003129131.tif 000008